(57)【要約】【課題】通信相手に関してユーザがどのような対応又は操作を行ったかにより通信相手の重要性を更新して、適切な着信報知を行うことができる通信端末を提供する。【解決手段】電話機能部２０４は、着信優先である着信時動作と視聴優先である着信時動作のうちから選択された着信時動作を実行する。また、電話機能部２０４は、着信時に通知された相手電話番号から通信相手を判断する。メモリ２１８には電話アドレス帳及び通信相手の優先度が記憶される。ＣＰＵ２０９は、通信相手に関してユーザがどのような対応又は操作を行ったかによって通信相手の優先度を変更する。また、ＣＰＵ２０９は、視聴中に着信があったときに前記優先度が第１の閾値を超えている送信相手に対しては着信優先動作を選択する一方、前記優先度が第１の閾値以下の送信相手に対しては視聴優先動作を選択する。【選択図】図２
2007274406.tif 000002
【特許請求の範囲】
【請求項１】
着信優先である着信時動作と視聴優先である着信時動作のうちから選択された着信時動作を実行する電話機能部と、放送による受信又は通信による受信又は再生処理で得られた映像及び／又は音声を提示してユーザに視聴を行わせる手段と、着信時に通知された相手電話番号から通信相手を判断する手段と、通信相手の優先度を記憶する手段と、通信相手に対してユーザがどのような対応又は操作を行ったかによって通信相手の優先度を変更する更新手段と、視聴中に着信があったときに前記優先度が第１の閾値を超えている送信相手に対しては着信優先である着信時動作を選択する一方、前記優先度が第１の閾値以下の送信相手に対しては視聴優先である着信時動作を選択する選択手段と、を備えたことを特徴とする通信端末。
【請求項２】
請求項１に記載の通信端末において、視聴優先である着信時動作は、視聴を継続しながら通信相手を通知して受話を待つ第１の視聴優先着信時動作と、通信相手を通知せずに留守番対応となる第２の視聴優先着信時動作とからなり、前記選択手段は、視聴中に着信があって前記優先度が第１の閾値以下の場合で、前記優先度が第２の閾値を上回る送信相手に対しては第１の視聴優先着信時動作を選択する一方、前記優先度が第２の閾値以下の送信相手に対しては第２の視聴優先着信時動作を選択することを特徴とする通信端末。
【請求項３】
請求項２に記載の通信端末において、前記視聴を継続しながら通信相手を通知して受話を待つ第１の視聴優先着信時動作には、前記受話を一定時間待った後に留守番対応となることが含まれることを特徴とする通信端末。
【請求項４】
請求項２又は請求項３に記載の通信端末において、前記更新手段は、前記視聴優先である着信時動作の実行中にユーザが受話操作を行ったときには、当該通信相手についての優先度をアップさせることを特徴とする通信端末。
【請求項５】
請求項４に記載の通信端末において、前記更新手段は、前記視聴優先である着信時動作の実行中にユーザが受話操作を行い且つ通話時間が所定の閾値以上となったときには、当該通信相手についての優先度を更にアップさせることを特徴とする通信端末。
【請求項６】
請求項２又は請求項３に記載の通信端末において、前記更新手段は、前記視聴優先である着信時動作の実行中にユーザが受話操作を行い且つ通話時間が所定の閾値未満のときには、当該通信相手についての優先度をダウンさせることを特徴とする通信端末。
【請求項７】
請求項１乃至請求項６のいずれかに記載の通信端末において、前記更新手段は、通常通話における通話時間が所定の閾値以上となったときには、当該通信相手についての優先度をアップさせることを特徴とする通信端末。
【請求項８】
請求項１乃至請求項７のいずれかに記載の通信端末において、前記更新手段は、前記着信優先である着信時動作が実行されたにもかかわらずユーザが受話操作を行わなかったことが複数回連続してして生じたとき又はユーザが受話操作を行わなかったことの割合が所定の閾値に満たなかったときには、当該通信相手についての優先度をダウンさせることを特徴とする通信端末。
【請求項９】
請求項１乃至請求項８のいずれかに記載の通信端末において、前記更新手段は、番組視聴中に前記着信優先である着信時動作が実行されてユーザが受話操作を行っても通話時間が所定の閾値に満たなかったときには、当該番組が終了するまで当該番組の優先度をアップさせることを特徴とする通信端末。  
【請求項１０】
請求項１乃至請求項９のいずれかに記載の通信端末において、受話操作が実行されたときに次回も電話にでるかを問うメッセージを表示する手段を備え、前記更新手段は、次回も電話にでるとの回答を得たときには、当該通信相手についての優先度をアップさせることを特徴とする通信端末。
【請求項１１】
請求項１乃至請求項１０のいずれかに記載の通信端末において、優先度をアップ又はダウンさせる条件設定を複数有し、ユーザ操作で任意の条件設定を選択できるように構成されたことを特徴とする通信端末。
【請求項１２】
請求項１乃至請求項１１のいずれかに記載の通信端末において、通信相手に関してユーザがどのような対応又は操作を行ったかにおける前記通信相手は、アドレス帳に登録されていない通信相手を含み、且つ、アドレス帳に登録されていない通信相手についても優先度の変更が行われ、当該通信相手をアドレス帳に登録するときにはその時点の優先度も登録されることを特徴とする通信端末。
【請求項１３】
請求項１乃至請求項１２のいずれかに記載の通信端末において、視聴に際して視聴優先される対象かどうかを問うメッセージ表示処理を実行する手段と、視聴優先される対象であるときには一時的に前記通信相手の優先度そのものをダウンさせる或いは実質的に優先度がダウンさせられたことに相当する処理を行う視聴優先処理手段と、を備えたことを特徴とする通信端末。
【請求項１４】
請求項１乃至請求項１２のいずれかに記載の通信端末において、視聴に際して視聴優先される対象かどうかを過去のユーザ対応に基づいて判断する手段と、視聴優先される対象であるときには一時的に前記通信相手の優先度そのものをダウンさせる或いは実質的に優先度がダウンさせられたことに相当する処理を行う視聴優先処理手段と、を備えたことを特徴とする通信端末。
【請求項１５】
請求項１３又は請求項１４に記載の通信端末において、視聴優先される対象であるときでも、チャンネル変更、ＯＦＦ操作、ユーザ自身による番組優先度ダウン処理が実行されたときには、前記視聴優先処理手段による視聴優先処理を停止することを特徴とする通信端末。
【発明の詳細な説明】
【技術分野】
【０００１】
この発明は、放送による映像受信又は通信による映像受信又は映像再生操作で得られた映像を提示してユーザに視聴を行わせることができる携帯電話などの通信端末に関する。
【背景技術】
【０００２】
従来より、映像再生中に着信があったときに、着信報知条件に従って着信報知を行う技術が提案されている（特許文献１参照）。
【特許文献１】特開２００５−１４２９７８号公報
【発明の開示】
【発明が解決しようとする課題】
【０００３】
しかしながら、上記従来技術は、通信相手に関してユーザがどのような対応又は操作を行ったかを考慮することはないため、適切な着信報知を行うことができない。すなわち、ユーザにとっての通信相手の重要性が時々刻々と変化しうるものであるにもかかわらず、ユーザにとっての通信相手の重要性が当初の登録時のままでは適切な着信報知を行うことができない。また、ユーザ自身による更新操作で通信相手の重要性を更新することが可能であるが、このような操作はユーザにとって手間であり、使い勝手が悪い。
【０００４】
この発明は、上記の事情に鑑み、通信相手の重要性を、通信相手に関してユーザがどのような対応又は操作を行ったかにより更新して、適切な着信報知を行うことができる通信端末を提供することを目的とする。
【課題を解決するための手段】
【０００５】
この発明の通信端末は、上記課題を解決するために、着信優先である着信時動作と視聴優先である着信時動作のうちから選択された着信時動作を実行する電話機能部と、放送による受信又は通信による受信又は再生処理で得られた映像及び／又は音声を提示してユーザに視聴を行わせる手段と、着信時に通知された相手電話番号から通信相手を判断する手段と、通信相手の優先度を記憶する手段と、通信相手に対してユーザがどのような対応又は操作を行ったかによって通信相手の優先度を変更する更新手段と、視聴中に着信があったときに前記優先度が第１の閾値を超えている送信相手に対しては着信優先である着信時動作を選択する一方、前記優先度が第１の閾値以下の送信相手に対しては視聴優先である着信時動作を選択する選択手段と、を備えたことを特徴とする。
【０００６】
上記の構成であれば、通信相手の重要性を、通信相手に関してユーザがどのような対応又は操作を行ったかにより更新することができるので、適切な着信報知を行うことができる。
【０００７】
上記構成の通信端末において、視聴優先である着信時動作は、視聴を継続しながら通信相手を通知して受話を待つ第１の視聴優先着信時動作と、通信相手を通知せずに留守番対応となる第２の視聴優先着信時動作とからなり、前記選択手段は、視聴中に着信があって前記優先度が第１の閾値以下の場合で、前記優先度が第２の閾値を上回る送信相手に対しては第１の視聴優先着信時動作を選択する一方、前記優先度が第２の閾値以下の送信相手に対しては第２の視聴優先着信時動作を選択することとしてもよい。また、かかる構成において、前記視聴を継続しながら通信相手を通知して受話を待つ第１の視聴優先着信時動作には、前記受話を一定時間待った後に留守番対応となることが含まれることとしてもよい。また、これら二つの構成において、前記更新手段は、前記視聴優先である着信時動作の実行中にユーザが受話操作を行ったときには、当該通信相手についての優先度をアップさせることとしてもよい。また、この構成において、前記更新手段は、前記視聴優先である着信時動作の実行中にユーザが受話操作を行い且つ通話時間が所定の閾値以上となったときには、当該通信相手についての優先度を更にアップさせることとしてもよい。その一方、前記更新手段は、前記視聴優先である着信時動作の実行中にユーザが受話操作を行い且つ通話時間が所定の閾値未満のときには、当該通信相手についての優先度をダウンさせてもよい。
【０００８】
これら構成の通信端末において、前記更新手段は、通常通話における通話時間が所定の閾値以上となったときには、当該通信相手についての優先度をアップさせることとしてもよい。
【０００９】
これら構成の通信端末において、前記更新手段は、前記着信優先である着信時動作が実行されたにもかかわらずユーザが受話操作を行わなかったことが複数回連続してして生じたとき又はユーザが受話操作を行わなかったことの割合が所定の閾値に満たなかったときには、当該通信相手についての優先度をダウンさせることとしてもよい。
【００１０】
これら構成の通信端末において、前記更新手段は、番組視聴中に前記着信優先である着信時動作が実行されてユーザが受話操作を行っても通話時間が所定の閾値に満たなかったときには、当該番組が終了するまで当該番組の優先度をアップさせることとしてもよい。
【００１１】
これら構成の通信端末において、受話操作が実行されたときに次回も電話にでるかを問うメッセージを表示する手段を備え、前記更新手段は、次回も電話にでるとの回答を得たときには、当該通信相手についての優先度をアップさせることとしてもよい。
【００１２】
これら構成の通信端末において、優先度をアップ又はダウンさせる条件設定を複数有し、ユーザ操作で任意の条件設定を選択できるように構成されていてもよい。
【００１３】
これら構成の通信端末において、通信相手に関してユーザがどのような対応又は操作を行ったかにおける前記通信相手は、アドレス帳に登録されていない通信相手を含み、且つ、アドレス帳に登録されていない通信相手についても優先度の変更が行われ、当該通信相手をアドレス帳に登録するときにはその時点の優先度も登録されることとしてもよい。
【００１４】
これら構成の通信端末において、視聴に際して視聴優先される対象かどうかを問うメッセージ表示処理を実行する手段と、視聴優先される対象であるときには一時的に前記通信相手の優先度そのものをダウンさせる或いは実質的に優先度がダウンさせられたことに相当する処理を行う視聴優先処理手段と、を備えていてもよい。
【００１５】
或いは、これら構成の通信端末において、視聴に際して視聴優先される対象かどうかを過去のユーザ対応に基づいて判断する手段と、視聴優先される対象であるときには一時的に前記通信相手の優先度そのものをダウンさせる或いは実質的に優先度がダウンさせられたことに相当する処理を行う視聴優先処理手段と、を備えていてもよい。
【００１６】
上記視聴優先処理手段を有する構成において、視聴優先される対象であるときでも、チャンネル変更、ＯＦＦ操作、ユーザ自身による番組優先度ダウン処理が実行されたときには、前記視聴優先処理手段による視聴優先処理を停止することとしてもよい。
【発明の効果】
【００１７】
この発明によれば、通信相手の重要性を、通信相手に関してユーザがどのような対応又は操作を行ったかにより更新して、適切な着信報知を行うことができるという効果を奏する。
【発明を実施するための最良の形態】
【００１８】
以下、この発明の実施形態の通信端末を図１乃至図７に基づいて説明する。
【００１９】
図１はこの実施形態のテレビ受信機能付き携帯通信機器（以下、放送受信移動端末という）２を示したブロック図である。なお、図２は、視聴中の着信時動作に対応させて放送受信移動端末２の構成要素間の関係を示している。放送受信移動端末２は、地上波ディジタルチューナ２３０による放送受信により得られた符号化映像音声データ、或いは、スロット２０１に差し込まれたメモリカード３等から読み出した符号化映像音声データにより、映像を液晶表示パネル２０２上に映し出すとともに、音声をスピーカ２０３から出力するようになっている。なお，この実施形態では符号化映像音声データはＨ．２６４データであるとする。また、図示はしていないが、アナログ放送を受信するチューナも備え、地上アナログ放送の視聴も行えるようにすることができる。更に、図示はしていないが、ディジタル音声放送（ディジタルラジオ放送）を受信するチューナも備えることができる。
【００２０】
メモリカード３から読み出したＨ．２６４データは、ＰＣＭＣＩＡインターフェイス２２０、及びシステムバス２１３を経てＨ．２６４ビデオデコーダ２０４に供給される。また、地上ディジタルチューナ２３０は、この地上ディジタル放送で放送されるＨ．２６４のビットストリームデータを取り出し、Ｈ．２６４ビデオデコーダ２０４やオーディオデコーダ（ＭＰＥＧ４−ＡＡＣ）２０６に与える。
【００２１】
Ｈ．２６４ビデオデコーダ２０４は、Ｈ．２６４のビットストリームデータを復号して量子化係数や動きベクトルを求め、逆ＤＣＴ変換や動きベクトルに基づく動き補償制御などを行うことによって得た映像データをグラフィックスコントローラ２０５に供給する。グラフィックスコントローラ２０５は映像データ（例えば、Ｒ，Ｇ，Ｂデータ）に対して色調整等の処理を施す。また、グラフィックスコントローラ２０５はＣＰＵ２０９から出力指示された文字等（操作ボタン、メニュー画面、メッセージ画面等）を液晶表示パネル２０２に表示するＯＳＤ（オンスクリーンディスプレイ）処理も行う。オーディオデコーダ２０６は、ビットストリーム中の音声符号データを復号して音声データを生成する。ＳＤＲＡＭ２１０は、Ｈ．２６４ビデオデコーダ２０４の上記処理において利用される。
【００２２】
ＬＣＤコントローラ２０７は、グラフィックスコントローラ２０５から供給された映像データに基づいて液晶表示パネル２０２を駆動する。また、Ｄ／Ａ変換器２０８は、オーディオデコーダ２０６から出力された音声データを受け取ってＤ／Ａ変換を行い、右（Ｒ）音のアナログ信号及び左（Ｌ）音のアナログ信号を生成してスピーカ２０３に与える。
【００２３】
ＣＰＵ２０９は、スロット２０１にＰＨＳデータカード４が装着された場合のネットワークを利用したデータ送受信、受信データに基づく各機能部の制御、ＦｌａｓｈＲＯＭ２１８やＳＤＲＡＭ２１９のリード／ライト制御なども行うようになっている。前記ＰＨＳデータカード４によってネット上のサイトから映像などのストリーム配信を受けて視聴することができる。
【００２４】
本体キー２１４は操作ボタン、十字キー（方向キー）、テンキー等である。この本体キー２１４に対する操作情報は、インターフェイス２１５、及びシステムバス２１３を介してＣＰＵ２０９に与えられる。なお、キーとしてタッチパネルを備えてもよい。ＣＰＵ２０９は上記操作情報に基づいて必要な処理を実行する。また、ＦｌａｓｈＲＯＭ２１８やＳＤＲＡＭ２１９も備える。
【００２５】
例えば、前記ＦｌａｓｈＲＯＭ２１８には、電話アドレス帳（後述する仮アドレス帳も含む）、通信相手の優先度が記録された優先度テーブル、前記優先度に対応付けられた着信時動作を規定する着信時動作メニューテーブルが格納されている。前記電話アドレス帳には、相手電話番号と相手氏名（ニックネーム）と相手画像などが対応付けられて格納される。優先度テーブルは、前記電話アドレス帳にリンクされており、相手電話番号と前記優先度とを対応付ける。優先度の初期登録はユーザによって行われるが、優先度の変更（更新）処理は後述するごとくＣＰＵ２０９によって実行される。また、ＣＰＵ２０９は、通信相手の優先度を参照することにより前記着信時動作メニューテーブルからいずれかの着信時動作を選択し、選択した着信時動作を電話機能部２４０に実行させる（詳細については後で説明する）。
【００２６】
図３（ａ）に電話アドレス帳の内容の一例を示す。通信相手の優先度は０〜６までの値としている。前記優先度の初期登録はユーザによって行われるが、このときに０〜６までの値をユーザが入力することとしてもよいし、或いは、「受話優先にしますか」、「問いかけにしますか」、「留守録にしますか」といった選択項目を表示し、「受話優先にしますか」の項目が選択されたときには優先度＝６、「問いかけにしますか」の項目が選択されたときには優先度＝３、「留守録にしますか」の項目が選択されたときには優先度＝０のごとく、初期登録処理を行うこととしてもよい。また、図３（ｂ）に仮アドレス帳の内容例を示す。仮アドレス帳は、前記電話アドレス帳に存在しない通信相手からの着信があったときに、その電話番号と優先度とを仮に登録する。初期優先度は一律で例えば２が与えられる。
【００２７】
前記着信時動作メニューテーブルには、着信優先動作と視聴優先動作とが存在している。着信優先動作は、視聴中に着信があったときに、視聴を中断して通常通りの着信動作（着信ベルや着信メロディ発生などの鳴動処理、バイブレーション動作など）を行うことを規定する。視聴優先動作は、着信があっても視聴状態を継続し、着信動作を実行しないか或いは少なくとも音に関して制限された着信動作である着信表示（音を出さずにＬＥＤの明滅や液晶表示パネル上での通信相手名表示など）を実行することを規定する。具体的には、（１）視聴継続で着信表示、（２）視聴継続で着信表示の後一定時間が経過すると留守録、（３）視聴継続で直ちに留守録、がある。ここで、前記の（１）（２）の動作（着信表示を伴う処理）を第１の視聴優先着信時動作と称し、（３）の動作を第２の視聴優先着信時動作と称する。
【００２８】
図４は、着信時動作メニューテーブルの内容例を示している。着信優先動作は優先度＝６、優先度＝５の場合に選択される。第１の視聴優先着信時動作は優先度＝４、優先度＝３、優先度＝２の場合に選択される。第２の視聴優先着信時動作は優先度＝１、優先度＝０の場合に選択される。なお、図４においては、視聴優先度アップ（番組優先度アップ）の操作がユーザによってなされたときに、着信時動作メニューテーブルの内容が変化することを示している。この視聴優先度アップ時には、優先度＝６、優先度＝５、優先度＝４の場合に第１の視聴優先着信時動作が選択され、優先度＝３、優先度＝２、優先度＝１、優先度＝０の場合に第２の視聴優先着信時動作が選択される。すなわち、前記通信相手の優先度そのものをダウンさせる或いは実質的に優先度がダウンさせられたことに相当する処理を行う。
【００２９】
電話機能部２４０は、無線回路、信号処理回路、Ａ／Ｄ・Ｄ／Ａ変換部、マイク、スピーカなどを備える。無線回路は、音声やデータの送受信処理、基地局との間での所定のプロトコル処理（送信時処理、受信時処理）を行う。電話処理において受信した信号は、無線回路、信号処理回路、及びＡ／Ｄ・Ｄ／Ａ変換部のＤ／Ａ変換部を介してスピーカに与えられる一方、ユーザの発した音声は、マイクにて音声信号となり、Ａ／Ｄ・Ｄ／Ａ変換部のＡ／Ｄ変換部、信号処理回路、及び無線回路を経て送出される。そして、電話機能部２４０は、前記ＣＰＵ２０９によって選択された着信時動作を実行する。
【００３０】
上記ＣＰＵ２０９による処理を更に説明していく。ＣＰＵ２０９は、放送受信による視聴処理（ネット上からのストリーム配信による視聴処理、及びメモリカード３から読み出した映像音声の視聴処理を含む）と前記電話機能部２４０における着信処理との関係において、以下のごとく処理を実行する。
【００３１】
（１）ＣＰＵ２０９は、通信相手に関してユーザがどのような対応又は操作を行ったかによって、以下のごとく通信相手の優先度を変更する。
【００３２】
１．前記視聴優先である着信時動作の実行中にユーザが受話操作を行ったときには、当該通信相手についての優先度をアップさせる。すなわち、視聴優先であるにもかかわらずユーザが受話操作を行うということは、通信相手が重要な方であると推定できるので、当該通信相手についての優先度をアップさせる。例えば、優先度が４であったなら、優先度を５に変更する。
【００３３】
２．前記視聴優先である着信時動作の実行中にユーザが受話操作を行い且つ通話時間が所定の閾値（例えば、３分）以上となったときには、当該通信相手についての優先度を更にアップさせる。例えば、優先度が４であったなら、優先度を６に変更する。
【００３４】
３．通常通話における通話時間が所定の閾値（例えば、５分）以上となったときには、当該通信相手についての優先度をアップさせる。例えば、優先度が４であったなら、優先度を５に変更する。
【００３５】
４．前記着信優先である着信時動作が実行されたにもかかわらずユーザが受話操作を行わなかったことが複数回（例えば、３回）連続してして生じたとき又はユーザが受話操作を行わなかったことの割合が所定の閾値に満たなかったとき（５回の着信に対して３回受話を閾値として設定していたときには、５回の着信に対して２回しか受話しなかったとき）には、当該通信相手についての優先度をダウンさせる。例えば、優先度が４であったなら、優先度を３に変更する。
【００３６】
５．ＣＰＵ２０９は、受話操作が実行されたときに次回も電話にでるかを問うメッセージをＯＳＤ機能を用いて液晶表示パネル２０２に表示する。そして、ＣＰＵ２０９は、次回も電話にでるとの回答を得たときには、当該通信相手についての優先度をアップさせる。
【００３７】
（２）上述した優先度をアップ又はダウンさせる条件設定を複数有しておいてもよい。そして、ＣＰＵ２０９は、ユーザ操作で任意の条件設定を選択することとしてもよい。例えば、上述した１．〜５．の条件について、メニュー画面上に□条件１、□条件２、□条件３、□条件４、□条件５のごとく表示するとともに、前記□の枠箇所にユーザ操作でチェックを付された条件をＣＰＵ２０９は採用する。
【００３８】
（３）先述のごとく仮アドレス帳を設ける場合、ＣＰＵ２０９は、この仮アドレス帳に登録されている通信相手についても優先度の変更（更新）を行い、電話アドレス帳に登録するときにはその時点の優先度も登録する。ユーザが新規に電話アドレス帳に登録を行うときには、通常であれば、その際に優先度をユーザ自身が入力することになるが、この新規の相手が仮アドレス帳に登録されていたならば、優先度入力の手間が省けるだけでなく、最新の優先度が自動的に登録されるという利点が得られる。
【００３９】
（４）ＣＰＵ２０９は、視聴に際して視聴優先される対象かどうかを問うメッセージ（例えば、「この番組を視聴優先で視聴しますか」）を表示する処理をＯＳＤ機能を用いて実行する。ユーザは、この番組を極力邪魔されずに視聴したいと思うときには、視聴優先される対象であることを示す操作（例えば、前記メッセージとともに表示されたＹＥＳボタンを操作）を行う。ＣＰＵ２０９は、視聴優先される対象であるときには一時的に前記通信相手の優先度そのものをダウンさせる或いは実質的に優先度がダウンさせられたのに相当する処理を行う。例えば、図４の右欄に示したごとく、優先度に対する着信時動作内容を変更する。視聴が終了すれば、視聴優先処理を停止することとしてもよい（図４の左欄の状態に戻す）。視聴対象がディジタル放送番組である場合、当該番組の終了時刻を知ることができるので、当該番組の終了時刻を視聴終了と判断することもできる。
【００４０】
（５）ＣＰＵ２０９は、視聴に際して視聴優先される対象かどうかを過去のユーザ対応に基づいて判断する。例えば、ディジタル放送番組について、先述のごとく、視聴優先される対象であることを示す操作が行われたときに、当該番組情報をディジタル放送に重畳されているＰＳＩ／ＳＩから取得し、記憶する。そして、次回に同じ番組が視聴されるときには、前記メッセージ表示を行わずに、視聴優先される対象であると自動判断する。ＣＰＵ２０９は、視聴優先される対象であるときには一時的に前記通信相手の優先度そのものをダウンさせる或いは実質的に優先度がダウンさせられたのに相当する処理を行う。例えば、図４の右欄に示したごとく、優先度に対する着信時動作内容を変更する。
【００４１】
（６）上記のごとく、視聴優先される対象（番組）である場合の処理を行ったとしても、チャンネル変更、テレビＯＦＦ操作、ユーザ自身による番組優先度ダウン処理が実行されたときには、ＣＰＵ２０９は、視聴優先処理を停止する（図４の左欄の状態に戻す）。
【００４２】
図５は視聴中に着信があったときの処理例を示したフローチャートである。まず、通信相手が電話アドレス帳に登録されているかどうかを判断する（ステップＳ１）。登録されていなければ仮アドレス帳に登録する（ステップＳ２）。仮アドレス帳への登録は相手が非通知の場合でも行うこととしている。次に、通信相手の優先度を判定する（ステップＳ３）。ここで、「通話相手＞視聴１」は、「通信相手の優先度＞４かどうか」に相当する（図４参照）。ステップＳ３でＹＥＳの判定を得たときには、視聴処理を中断し（映像音声の出力を停止し）、通常の着信通知を行い、受話を待つ（ステップＳ４）。そして、その後の処理（以下、処理１というときがある）において、受話（通話）がなされたときには、当該通信相手の優先度をアップし、終話を待つ（ステップＳ５）。一方、通話を拒否したときには、当該通信相手の優先度をダウンする。このときの優先度は例えば「自動留守録を行う」とする対応にまで引き下げられる（ステップＳ５）。
【００４３】
一方、ステップＳ３でＮＯの判定を得たときには、更に通信相手の優先度を判定する（ステップＳ７）。ここで、「通話相手＞視聴２」は、「通信相手の優先度＞１かどうか」に相当する（図４参照）。ステップＳ７でＹＥＳの判定を得たときには、視聴（映像音声の提示）を継続し、着信表示処理を行い、タイマーをスタートする（ステップＳ８）。そして、その後の処理（以下、処理２というときがある）において、受話（通話）がなされたときには、当該通信相手の優先度をアップし、終話を待つ（ステップＳ９）。一方、通話を拒否したときには、当該通信相手の優先度をダウンする。このときの優先度は例えば「自動留守録を行う」とする対応にまで引き下げられる（ステップＳ９）。また、タイムアウトが生じたときにも、当該通信相手の優先度をダウンし、優先度を例えば「自動留守録を行う」とする対応にまで引き下げる（ステップＳ９）。
【００４４】
ステップＳ７でＮＯの判定を得たときには、当該通信相手は優先度が１又は０の相手であるから、視聴（映像音声の提示）を継続し、自動留守録処理を実行する（ステップＳ１０）。
【００４５】
上述の処理のなかで視聴中断されたのであれば（処理１の場合、或いは処理２においては通話がなされた場合）、各処理の完了の後に視聴を再開して（ステップＳ６）、当該一連の処理を終了し、視聴中断がされなかったのであれば（ステップＳ１０を経た場合）、当該一連の処理を終了する。
【００４６】
なお、視聴中断して受話待ち（ステップＳ３〜５）又は視聴しながら着信通知（ステップＳ７〜９）のどちらかの処理を行わないこととすれば、判定閾値は一つでよいことになる。
【００４７】
図６は先述した処理１の詳細を例示したフローチャートである。なお、この処理例では、番組優先度にかかわる処理も行う。相手が切断せずにこちらが切断したとき（ステップＳ１１でＮＯ、ステップＳ１２でＹＥＳ）、通信相手の優先度はダウンし（ステップＳ１８）、留守録対応となる（ステップＳ１９）。受話のときには（ステップＳ１３でＹＥＳ）、通話のための処理が実行され（ステップＳ１４）、通話時間の長短を計測する（ステップＳ１５）。通話時間が長いとき（例えば、３分以上であるとき）、当該通信相手の優先度をアップする（ステップＳ１６）。通話時間が短いときには、当該通信相手の優先度を維持する。
【００４８】
なお、ステップＳ１５に替えて、「番組の優先度をアップしますか  ＹＥＳ  ＮＯ」といったメッセージを表示し、ＹＥＳが選択されたときに一時的に或いは恒常的に、前記通信相手の優先度そのものをダウンさせる或いは実質的に優先度がダウンさせられたことに相当する処理を行うこととしてもよいものである。
【００４９】
また、放送番組を視聴していて、ステップＳ１５でＹＥＳとされたときには、当該放送番組の優先度をアップすることとしてもよい。具体的には、視聴１，視聴２の閾値を「２」アップすることで相手優先の判断を厳しくする（図４の番組優先度アップ中参照）。例えば、通話内容が、「今はだめだけど、後で連絡する」といった短い内容が想定され、このような数秒で電話が切られてしまうときには、ユーザは番組を優先していると推定できる。番組受信で番組情報（番組終了時刻等）を受信することができ、視聴中の番組が終了したら視聴１，視聴２の閾値を元に戻す。通話時間を短，中，長の３つに区分し、短のときには上記のごとく番組優先処理を行い、中のときには相手優先度をそのまま維持し、長のときには相手優先度をアップさせることとしてもよい。
【００５０】
図７は先述した処理２の詳細を例示したフローチャートである。相手が切断せずにタイムアウトが生じたとき（ステップＳ２１でＮＯ、ステップＳ２２でＹＥＳ）、通信相手の優先度はダウンし（ステップＳ２９）、留守録対応となる（ステップＳ３０）。タイムアウト前にこちらが切断したときにも（ステップＳ２３でＹＥＳ）、通信相手の優先度はダウンし（ステップＳ２９）、留守録対応となる（ステップＳ３０）。タイムアウト前に受話したときには（ステップＳ２４でＹＥＳ）、通話のための処理が実行され（ステップＳ２５）、通話時間の長短を計測する（ステップＳ２６）。通話時間が長いとき（例えば、３分以上であるとき）、当該通信相手の優先度を２段階アップする（ステップＳ２７）。通話時間が短いときには、当該通信相手の優先度を１段階アップする（ステップＳ２８）。
【００５１】
なお、ステップＳ２６において、通話時間が短いと判断されたとき（例えば、数秒〜十数秒台のとき）、当該通信相手の優先度をダウンさせることとしてもよい。これは、受話したけれどもやっぱり不要だったというような場合を想定している。この場合、ステップＳ２７では１段階アップの処理を行う。また、通話時間を、短（例えば、数秒〜十数秒台のとき），中（例えば、２０秒台〜３分未満），長（例えば、３分以上）の３つに区分し、短のときには上記のごとく相手優先度ダウン処理を行い、中のときには相手優先度をそのまま維持し、長のときには相手優先度を１段階アップさせることとしてもよい。
【図面の簡単な説明】
【００５２】
【図１】この発明の実施形態の放送受信移動端末を示したブロック図である。
【図２】図１の放送受信移動端末の構成要素間の関係を視聴中の着信時動作に対応させて示した説明図である。
【図３】同図（ａ）は電話アドレス帳を示した説明図であり、同図（ｂ）ば仮アドレス帳を示した説明図である。
【図４】着信時動作メニューテーブルの内容例を示した説明図である。
【図５】処理内容を示したフローチャートである。
【図６】図５の処理内容における処理１の詳細を示したフローチャートである。
【図７】図５の処理内容における処理２の詳細を示したフローチャートである。
【符号の説明】
【００５３】
２      放送受信移動端末
２０２  ＬＣＤパネル
２０５  グラフィックスコントローラ
２０７  ＬＣＤコントローラ
２０９  ＣＰＵ
２３０  地上波ディジタルチューナ
【図１】
2007274406.tif 000003
【図２】
2007274406.tif 000004
【図３】
2007274406.tif 000005
【図４】
2007274406.tif 000006
【図５】
2007274406.tif 000007
【図６】
2007274406.tif 000008
【図７】
2007274406.tif 000009